(57)【要約】  本発明の警報器は、イベント信号を他の警報器との間で無線により送受信する無線回路部と；異常警報を出力する報知部と；所定の操作を行う操作部と；異常を検出するセンサ部からの異常検出信号を受けて、連動元としての前記異常警報を出力させると共に、異常を示す前記イベント信号を前記他の警報器に送信し、一方、前記他の警報器から異常を示す前記イベント信号を受信した時に連動先としての前記異常警報を出力させる異常監視部と；を備えた警報器であって、同警報器に対応したメッセージ情報、及び同警報器以外の他の機器に対応したメッセージ情報をメモリテーブルに登録して管理する連動メッセージ管理部と；前記他の機器から機器固有のイベント信号を受信した際に、前記メモリテーブルから対応する前記メッセージ情報を取得して音響出力する連動メッセージ処理部と：をさらに備える。
2009118951.tif 000002
【特許請求の範囲】
【請求項１】
イベント信号を他の警報器との間で無線により送受信する無線回路部と；
異常警報を出力する報知部と；
所定の操作を行う操作部と；
異常を検出するセンサ部からの異常検出信号を受けて、連動元としての前記異常警報を出力させると共に、異常を示す前記イベント信号を前記他の警報器に送信し、一方、前記他の警報器から異常を示す前記イベント信号を受信した時に連動先としての前記異常警報を出力させる異常監視部と；
を備えた警報器であって、
同警報器に対応したメッセージ情報、及び同警報器以外の他の機器に対応したメッセージ情報をメモリテーブルに登録して管理する連動メッセージ管理部と；
前記他の機器から機器固有のイベント信号を受信した際に、前記メモリテーブルから対応する前記メッセージ情報を取得して音響出力する連動メッセージ処理部と：
をさらに備えることを特徴とする警報器。
【請求項２】
請求項１に記載の警報器であって、
前記イベント信号は、送信元機器に固有な送信元符号と、連動グループに属することを示すグループ符号と、イベント内容を示すイベント符号とを含み；
前記連動メッセージ管理部は、前記メモリテーブルに前記イベント符号に対応して前記メッセージ情報を登録して管理し；
前記連動メッセージ処理部は、受信した前記イベント信号に含まれる前記イベント符号に基づき、前記メモリテーブルから対応する前記メッセージ情報を取得して音響出力する。
【請求項３】
請求項１に記載の警報器であって、
前記連動メッセージ管理部は、前記メモリテーブルに音響出力の有無を設定するフラグ情報を格納し；
前記連動メッセージ処理部は、受信した前記イベント信号に含まれる前記イベント符号により前記メモリテーブルを参照して前記フラグ情報が音響出力有に設定されている場合に、対応する前記メッセージ情報を取得して音響出力する。
【請求項４】
請求項３に記載の警報器であって、
前記フラグ情報を前記メモリテーブルに設定するための操作手段をさらに備える。
【請求項５】
請求項１に記載の警報器であって、
前記警報器以外の他の機器は、インターホン、防犯受信機、電話機、時計、家電製品のうちの少なくとも一つを含み、前記他の機器に設けられた通信アダプタから送信される各機器に固有な前記イベント信号を受信して前記連動メッセージ処理部で処理する。
【請求項６】
異常を検出した際に他の警報器に異常を示すイベント信号を送信して連動警報を出力させる複数の警報器と；
前記警報器以外の他の機器に設けられ機器固有のイベント信号を送信する通信アダプタと；を備えた警報器システムであって、
前記複数の警報器は、
前記イベント信号を前記他の警報器との間で無線により送受信する無線回路部と；
異常警報を出力する報知部と；
所定の操作を行う操作部と；
異常を検出するセンサ部からの異常検出信号を受けて、連動元としての前記異常警報を出力させると共に、異常を示す前記イベント信号を前記他の警報器に送信し、一方、前記他の警報器から異常を示す前記イベント信号を受信したときに連動先としての前記異常警報を出力させる異常監視部と；
前記警報器に対応したメッセージ情報、及び前記他の機器に対応したメッセージ情報をメモリテーブルに登録して管理する連動メッセージ管理部と；
前記他の機器から機器固有の前記イベント信号を受信した際に、前記メモリテーブルから対応する前記メッセージ情報を取得して音響出力する連動メッセージ処理部と；
を備え、
前記通信アダプタは、
前記他の機器のイベント動作を検出して機器固有の前記イベント信号を生成する通信制御部と；
前記イベント信号を前記警報器に無線により送受信する無線回路部と；
を備える
ことを特徴とする警報器システム。
【請求項７】
請求項６に記載の警報器システムであって、
前記イベント信号は、送信元機器に固有な送信元符号と、連動グループに属することを示すグループ符号と、イベント内容を示すイベント符号とを含み；
前記連動メッセージ管理部は、前記メモリテーブルに前記イベント符号に対応して前記メッセージ情報を登録して管理し；
前記連動メッセージ処理部は、受信した前記イベント信号に含まれる前記イベント符号により前記メモリテーブルから対応する前記メッセージ情報を取得して音響出力する。
【請求項８】
請求項６に記載の警報器システムであって、
前記連動メッセージ管理部は、前記メモリテーブルに音響出力の有無を設定するフラグ情報を格納し；
前記連動メッセージ処理部は、受信した前記イベント信号に含まれる前記イベント符号の符号値により前記メモリテーブルを参照して前記フラグ情報が音響出力有に設定されている場合に、対応する前記メッセージ情報を取得して音響出力する。
【請求項９】
請求項８に記載の警報器システムであって、
前記警報器は、前記フラグ情報を前記メモリテーブルに設定するための操作手段をさらに備える。
【請求項１０】
請求項６に記載の警報器システムであって、
前記警報器以外の他の機器は、インターホン、防犯受信機、電話機、時計、家電製品のうちの少なくとも一つを含み、前記他の機器に設けられた通信アダプタから送信される各機器に固有な前記イベント信号を受信して前記連動メッセージ処理部で処理する。
【発明の詳細な説明】
【技術分野】
【０００１】
本発明は、火災などの異常を検出して警報すると共に、他の警報器に信号を無線送信して警報を連動出力させる警報器及び警報器システムに関する。
本出願は、日本国特願２００８−８２７２４号を基礎出願とし、その内容を取り込むものとする。
【背景技術】
【０００２】
住宅用警報器として知られる従来の警報器は、住宅における火災やガス漏れなどの異常を検出して、音声などで警報を発する機能を備えている。近年は、１つの住戸に複数の警報器を設置して、部屋毎に火災などの異常を監視している。【０００３】
このように住戸内に複数の警報器を設置した場合、異常が発生した部屋とは別の部屋に人がいた場合、警報音が聞こえず火災などの災害が広がる恐れがある。このため、警報器同士を有線接続し、一台の警報器で火災を検出した場合、他の警報器に信号を送って同時に警報音を発生させる連動警報ができるようにしたものが提案されている（例えば、下記特許文献１参照）。【０００４】
しかしながら、警報器同士を有線接続する場合、配線工事が必要なためにコストが高くなる問題がある。この問題は、無線式の警報器を採用することで解消できる。しかも、最近の無線回路用ＩＣは消費電力が低減しているため、他の警報器からの信号を受信可能とするために警報器を常時受信可能な動作状態としても、たとえば５年を超えるような、実用に耐える電池寿命が保証されている。したがって、無線式警報器の実用化が進められている。
【特許文献１】特開２００７−０９４７１９号公報
【発明の開示】
【発明が解決しようとする課題】
【０００５】
ところで、このような無線式の警報器システムが使用される住宅にあっては、通常、インターホン設備が設置されている。しかしながら、インターホン親機を設置している部屋に人がいない場合、インターホンが鳴っても場所によっては聞こえないという問題がある。【０００６】
また、電話についても同様であり、電話が鳴っても同様に場所によっては聞こえないという問題がある。【０００７】
本発明は、警報器のもつ無線通信機能およびメッセージの出力機能を活用してインターホンや電話などの他の機器のイベント発生に対し、どの場所にいてもイベント内容を確実に聞こえるようにする警報器及び警報器システムの提供を目的とする。
【課題を解決するための手段】
【０００８】
本発明は、上記課題を解決してかかる目的を達成するために、以下の手段を採用した。
（警報器）
すなわち、（１）本発明は、イベント信号を他の警報器との間で無線により送受信する無線回路部と；異常警報を出力する報知部と；所定の操作を行う操作部と；異常を検出するセンサ部からの異常検出信号を受けて、連動元としての前記異常警報を出力させると共に、異常を示す前記イベント信号を前記他の警報器に送信し、一方、前記他の警報器から異常を示す前記イベント信号を受信した時に連動先としての前記異常警報を出力させる異常監視部と；を備えた警報器であって、同警報器に対応したメッセージ情報、及び同警報器以外の他の機器に対応したメッセージ情報をメモリテーブルに登録して管理する連動メッセージ管理部と；前記他の機器から機器固有のイベント信号を受信した際に、前記メモリテーブルから対応する前記メッセージ情報を取得して音響出力する連動メッセージ処理部と：をさらに備える。【０００９】
（２）上記（１）に記載の警報器では、前記イベント信号が、送信元機器に固有な送信元符号と、連動グループに属することを示すグループ符号と、イベント内容を示すイベント符号とを含み；前記連動メッセージ管理部が、前記メモリテーブルに前記イベント符号に対応して前記メッセージ情報を登録して管理し；前記連動メッセージ処理部が、受信した前記イベント信号に含まれる前記イベント符号に基づき、前記メモリテーブルから対応する前記メッセージ情報を取得して音響出力する；構成を採用してもよい。【００１０】
（３）上記（１）に記載の警報器では、前記連動メッセージ管理部が、前記メモリテーブルに音響出力の有無を設定するフラグ情報を格納し；前記連動メッセージ処理部は、受信した前記イベント信号に含まれる前記イベント符号により前記メモリテーブルを参照して前記フラグ情報が音響出力有に設定されている場合に、対応する前記メッセージ情報を取得して音響出力する；構成を採用してもよい。【００１１】
（４）上記（３）に記載の警報器では、前記フラグ情報を前記メモリテーブルに設定するための操作手段をさらに備えてもよい。【００１２】
（５）上記（１）に記載の警報器では、前記警報器以外の他の機器が、インターホン、防犯受信機、電話機、時計、家電製品のうちの少なくとも一つを含み、前記他の機器に設けられた通信アダプタから送信される各機器に固有な前記イベント信号を受信して前記連動メッセージ処理部で処理する構成を採用してもよい。【００１３】
（警報器システム）
また、（６）本発明は、異常を検出した際に他の警報器に異常を示すイベント信号を送信して連動警報を出力させる複数の警報器と；前記警報器以外の他の機器に設けられ機器固有のイベント信号を送信する通信アダプタと；を備えた警報器システムであって、前記複数の警報器が、前記イベント信号を前記他の警報器との間で無線により送受信する無線回路部と；異常警報を出力する報知部と；所定の操作を行う操作部と；異常を検出するセンサ部からの異常検出信号を受けて、連動元としての前記異常警報を出力させると共に、異常を示す前記イベント信号を前記他の警報器に送信し、一方、前記他の警報器から異常を示す前記イベント信号を受信したときに連動先としての前記異常警報を出力させる異常監視部と；前記警報器に対応したメッセージ情報、及び前記他の機器に対応したメッセージ情報をメモリテーブルに登録して管理する連動メッセージ管理部と；前記他の機器から機器固有の前記イベント信号を受信した際に、前記メモリテーブルから対応する前記メッセージ情報を取得して音響出力する連動メッセージ処理部と；を備え、前記通信アダプタが、前記他の機器のイベント動作を検出して機器固有の前記イベント信号を生成する通信制御部と；前記イベント信号を前記警報器に無線により送受信する無線回路部と；を備える。【００１４】
（７）上記（６）に記載の警報器システムでは、前記イベント信号が、送信元機器に固有な送信元符号と、連動グループに属することを示すグループ符号と、イベント内容を示すイベント符号とを含み；前記連動メッセージ管理部は、前記メモリテーブルに前記イベント符号に対応して前記メッセージ情報を登録して管理し；前記連動メッセージ処理部は、受信した前記イベント信号に含まれる前記イベント符号により前記メモリテーブルから対応する前記メッセージ情報を取得して音響出力する構成を採用してもよい。【００１５】
（８）上記（６）に記載の警報器システムでは、前記連動メッセージ管理部が、前記メモリテーブルに音響出力の有無を設定するフラグ情報を格納し；前記連動メッセージ処理部は、受信した前記イベント信号に含まれる前記イベント符号の符号値により前記メモリテーブルを参照して前記フラグ情報が音響出力有に設定されている場合に、対応する前記メッセージ情報を取得して音響出力する；構成を採用してもよい。【００１６】
（９）上記（８）に記載の警報器システムでは、前記警報器が、前記フラグ情報を前記メモリテーブルに設定するための操作手段をさらに備えてもよい。【００１７】
（１０）上記（６）に記載の警報器システムでは、前記警報器以外の他の機器が、インターホン、防犯受信機、電話機、時計、家電製品のうちの少なくとも一つを含み、前記他の機器に設けられた通信アダプタから送信される各機器に固有な前記イベント信号を受信して前記連動メッセージ処理部で処理する；構成を採用してもよい。
【発明の効果】
【００１８】
本発明によれば、例えばインターホンの呼出しボタンが押された場合、インターホン親機に設けた通信アダプタから「インターホンの呼出しボタンが押されたこと」を示すイベント信号が無線送信される。すると、無線送信されたイベント信号は、各部屋に設置されている警報器で受信され、受信されたイベント信号に含まれるイベント符号によるメモリテーブルを参照してインターホンの呼出しボタンが押された場合のメッセージ情報が取得され、例えば「ピンポーン  来客です」といったメッセージが出力される。したがって、インターホン親機が設置されていないえない場所にいても、警報器から連動メッセージが出力されることにより、確実にインターホンの呼出しボタンが押されたことを知って、来客対応することができる。【００１９】
この点は、電話機による呼出し、緊急地震放送を出力する機器、目覚まし時計といった住宅で使用されている適宜の機器に通信アダプタをセットすると、警報器で各機器に固有なイベント内容のメッセージを出力させることができる。したがって、このような警報器システムを活用して住宅などの生活環境を更に快適で便利なものとすることができると共に、無線ネットワークを用いて情報の報知環境を低コストで構築することができる。【００２０】
また、インターホンや電話などの他の機器からのイベント信号によって、連動メッセージを出力させたくない部屋では、その部屋の警報器について連動用のフラグ情報を連動なしに設定すればよい。このように設定すれば、連動が必要な部屋の警報器を選択して、警報器以外のインターホンなどの他の機器のイベントに対しメッセージを連動出力させることができる。
【図面の簡単な説明】
【００２１】
【図１】図１は、住宅に設置した他の機器と連動する、本発明の一実施形態に係る警報器システムを示す説明図である。
【図２Ａ】図２Ａは、同実施形態に係る警報器の外観を示す正面図である。
【図２Ｂ】図２Ｂは、同警報器の外観を示す側面図である。
【図３】図３は、同警報器のブロック図である。
【図４】図４は、同実施形態で使用するイベント信号のフォーマットを示す説明図である。
【図５】図５は、同実施形態の警報器に設けたメモリテーブルの説明図である。
【図６】図６は、同警報器以外の他の機器に設ける通信アダプタを示すブロック図である。
【図７】図７は、同実施形態による基本処理を示すフローチャートである。
【図８】図８は、図７のステップＳ２における火災監視処理のサブルーチンを示すフローチャートである。
【図９】図９は、図７のステップＳ３における連動メッセージ処理のサブルーチンを示すフローチャートである。
【符号の説明】
【００２２】
１０，１０−１〜１０−５    警報器
１２    カバー
１４    本体
１５    取付フック
１６    検煙部
１８    音響孔
２０    警報停止スイッチ
２２    ＬＥＤ
２３    住宅
２４    ガレージ
２５    インターホン子機
２６    インターホン親機
２８    人感センサ
３０    防犯受信機
３２    電話機
３４    緊急地震速報受信装置
３５    目覚まし時計
３６，３６−１〜３６〜５    通信アダプタ
３８    ＣＰＵ
４０，７８    無線回路部
４１，７９    アンテナ
４２    記録回路部
４４    センサ部
４６    報知部
４８    操作部
５０，８０    電池電源
５２    送信回路
５４    受信回路
５６，７６    メモリ
５８    イベント信号
６０    送信元符号
６２    グループ符号
６４    イベント符号
６６    メモリテーブル
６８    スピーカ
７０    異常監視部
７２    連動メッセージ管理部
７４    連動メッセージ処理部
７５    通信制御部
【発明を実施するための最良の形態】
【００２３】
図１は、住宅に設置した他の機器と連動する本実施形態の警報器システムを示した説明図である。図１の例にあっては、住宅２３の台所、居間、主寝室、子供部屋のそれぞれに本実施形態の警報器１０−１〜１０−４が設置され、更に屋外に建てられたガレージ２４にも警報器１０−５を設置している。【００２４】
警報器１０−１〜１０−５のそれぞれは、イベント信号を相互に無線により送受信する機能を備えており、５台の警報器１０−１〜１０−５で１つの連動グループを構成して、この住宅全体の火災監視を行っている。【００２５】
また住宅２３には、警報器以外の他の機器として、インターホン子機２５とインターホン親機２６を備えたインターホン設備、電話機３２、緊急地震速報受信装置３４、及び目覚まし時計３５が設置されており、各々に警報器１０−１〜１０−５に対し各機器固有のイベント信号を送信する通信アダプタ３６−１〜３６−５が設けられている。【００２６】
通信アダプタ３６−１は、インターホン親機２６が玄関などに設置したインターホン子機２５からの呼出し信号を受信すると、インターホン呼出しを示すイベント信号を警報器１０−１〜１０−５に対して無線で送信する。【００２７】
通信アダプタ３６−２は、防犯受信機３０を在宅モードにして非警戒状態になっている場合、玄関などに設置した人感センサ２８からの検出信号を受信すると、来客を示すイベント信号を警報器１０−１〜１０−５に対して無線で送信する。【００２８】
通信アダプタ３６−３は、電話機３２の呼出しがあった場合、電話呼出しを示すイベント信号を警報器１０−１〜１０−５に対して無線で送信する。【００２９】
通信アダプタ３６−４は、緊急地震速報受信装置３４で緊急地震速報を受信した場合、緊急地震速報受信を示すイベント信号を警報器１０−１〜１０−５に対して無線で送信する。緊急地震速報受信装置３４は気象庁から送信された緊急地震速報を受信して、大きな揺れが来る前に、予想到来震度と到来予測時間を知らせる。【００３０】
通信アダプタ３６−５は、目覚まし時計３５が設定時刻に達した時に、目覚まし時計３５のイベント信号を警報器１０−１〜１０−５に対して無線送信し、例えば、起床を促すメッセージを出力させる。【００３１】
図２Ａ及び図２Ｂは本発明による無線式の警報器の外観を示した説明図であり、図２Ａが正面図を、図２Ｂが側面図を示している。【００３２】
図２Ａ及び図２Ｂにおいて、本実施形態の警報器１０はカバー１２と本体１４とで構成されている。カバー１２の中央には、周囲に煙流入口を開口した検煙部１６が配置され、火災による煙が所定濃度に達したときに火災を検出するようにしている。【００３３】
カバー１２に設けた検煙部１６の左下側には音響孔１８が設けられ、この背後にスピーカを内蔵し、警報音やメッセージを出力できる。検煙部１６の下側には警報停止スイッチ２０が設けられている。警報停止スイッチ２０は点検スイッチとしての機能を兼ねている。【００３４】
警報停止スイッチ２０の内部には、点線で示すようにＬＥＤ２２が配置されており、ＬＥＤ２２が点灯すると、警報停止スイッチ２０のスイッチカバーの部分を透過してＬＥＤ２２の点灯状態が外部から分かる。【００３５】
また、本体１４の裏側上部には取付フック１５が設けられており、設置する部屋の壁にビスなどをねじ込み、このビスに取付フック１５で取り付けることで、壁面に警報器１０を設置することができる。【００３６】
なお、図２Ａ及び図２Ｂに示す警報器１０は、検煙部１６を備えた火災による煙を検出する警報器を例に取っているが、これ以外に火災による熱を検出するサーミスタを備えた警報器や、火災以外にガス漏れを検出する警報器についても、本発明の対象に含まれる。【００３７】
図１において、住宅２３の子供部屋で火災が発生した場合、警報器１０−４が火災を検出して警報の出力を開始する。火災を検出して警報の出力を開始することを、警報器における「発報」という。警報器１０−４が発報すると、警報器１０−４は連動元として動作し、連動先となる他の警報器１０−１〜１０−３，１０−５に対し、火災発報を示すイベント信号を無線により送信する。他の警報器１０−１〜１０−３，１０−５は、連動元の警報器１０−４からの火災発報を示すイベント信号を受信すると、連動先としての警報動作を行う。【００３８】
ここで、連動元となった警報器１０−４の警報音としては、例えば音声メッセージにより「ウーウー  警報器が作動しました  確認してください」を連続して出力する。一方、連動先の警報器１０−１〜１０−３，１０−５にあっては、「ウーウー  別の警報器が作動しました  確認してください」といった音声メッセージを連続して出力する。【００３９】
警報器１０−１〜１０−５が警報音を出している状態で、図２Ａ及び図２Ｂに示した警報器１０に設けている警報停止スイッチ２０を操作すると、警報音の停止処理が行われる。【００４０】
また、警報器１０−１〜１０−５は障害監視機能を備えており、ローバッテリーなどの障害を検知すると、例えば「ピッ」といった警報音を例えば１分置きに間欠的に出力し、障害が発生したことを報知する。また、障害を検出した障害元の警報器は、他の警報器に対して障害発生を示すイベント信号を無線送信し、他の警報器においても同じ障害警報が出力される。この結果、任意の警報器で障害が検出されると、グループを構成している全ての警報器１０−１〜１０−５から障害警報が出力される。【００４１】
このような警報器１０−１〜１０−５における火災などの異常の連動警報に加え、例えば、来客がインターホン子機２５のボタンを操作することにより、インターホン親機２６から「ピンポーン  ピンポーン」といった呼出し音が出力された場合、本実施形態の警報器システムは、更に、インターホン親機２６に設けている通信アダプタ３６−１がインターホン親機２６の呼出し動作を検出して、インターホン呼出しを示すイベント信号を警報器１０−１〜１０−５に無線により送信する。【００４２】
このため、警報器１０−１〜１０−５の各々で例えば「ピンポーン  来客です」といったメッセージが出力され、インターホン親機２６が設置されてない部屋にいても、来客を確実に知ることができる。【００４３】
図３は本発明による警報器の実施形態を示したブロック図である。図３は図１に示した５台の警報器１０−１〜１０−５の内の警報器１０−１について回路構成を詳細に示している。【００４４】
警報器１０−１はＣＰＵ３８を備え、ＣＰＵ３８に対してはアンテナ４１を備えた無線回路部４０、記録回路部４２、センサ部４４、報知部４６、操作部４８が通信可能に設けられている。また、警報器１０−１は、電池電源５０を有している。【００４５】
無線回路部４０には送信回路５２と受信回路５４が設けられ、他の警報器１０−２〜１０−５との間でイベント信号を無線により送受信できる。無線回路部４０は、日本国内の場合には例えば４００ＭＨｚ帯の特定小電力無線局の標準規格として知られたＳＴＤ−３０（小電力セキュリティシステムの無線局の無線設備の標準規格）またはＳＴＤ−Ｔ６７（特定小電力無線局テレメータ用、テレコントロール用及びデータ伝送用無線設備の標準規格）に準拠した構成を備えている。【００４６】
もちろん、無線回路部４０としては、日本国内以外の場所については、その地域の割当無線局の標準規格に準拠した内容を持つことができる。【００４７】
記録回路部４２にはメモリ５６が設けられている。メモリ５６には警報器を特定するＩＤ（識別子）となる送信元符号６０、複数の警報器で連動警報を行うグループを構成するためのグループ符号６２、およびメモリテーブル６６が格納されている。【００４８】
送信元符号６０としては、国内に提供される警報器の数を予測し、同一符号として重複しないように例えば３２ビットの符号コードが使用される。【００４９】
グループ符号６２は連動グループを構成する複数の警報器に共通に設定される符号であり、無線回路部４０で受信した他の警報器からのイベント信号に含まれるグループ符号がメモリ５６に登録しているグループ符号６２に一致したときに、このイベント信号を有効な信号として受信して処理することになる。【００５０】
なお、本実施形態にあっては、記録回路部４２にメモリ５６を使用しているが、メモリ５６の代わりにディップスイッチを設け、ディップスイッチにより送信元符号６０やグループ符号６２を設定するようにしてもよい。送信元符号６０やグループ符号６２の符号長（ビット数）が少ない場合には、ディップスイッチを用いた記録回路部４２が望ましい。【００５１】
メモリテーブル６６には、連動グループを構成する警報器１０−１〜１０−５並びに警報器以外の通信アダプタ３６−１〜３６−５を設けたインターホン親機２６、防犯受信機３０、電話機３２、緊急地震速報受信装置３４及び目覚まし時計３５について、各機器に固有な内容となるイベント符号とメッセージが予め格納されている。【００５２】
図４はメモリテーブル６６の詳細を示しており、イベント符号、イベント内容、フラグ及びメッセージを登録している。イベント符号は、警報器及び他の機器で発生するイベント内容に応じて固有の値を設定している。この例でイベント符号は８ビットデータであり、図４にあっては、１６進表記「０ｘ」を用いて「１〜Ｆ」の値を設定している。【００５３】
即ち、警報器１０のイベント符号として、「０ｘ１」の火災、「０ｘ２」のガス漏れ、「０ｘ３」の障害、「０ｘ４」のインターホン、「０ｘ５」の防犯、「０ｘ６」の電話、「０ｘ７」の緊急地震速報、「０ｘ８」の目覚まし時計を定め、残りはリザーブとしている。【００５４】
フラグは、セットで「１（オン）」、リセット「０（オフ）」となり、セット「１」の状態で、他の機器からイベント信号を受信した時にメッセージの出力を行い、一方、リセット「０」の状態では、メッセージの出力を禁止する。このため連動メッセージを出力させたい警報器についてフラグをセット又はリセットしておくことで、連動メッセージの出力の有無を選択することができる。メッセージにはイベント内容に応じた音声内容を予め登録している。【００５５】
メモリテーブル６６に対するフラグ設定は、工場出荷時にメモリ５６に設定する方法や警報器１０にフラグ設定スイッチなどの操作手段を設け、使用者がメモリ５６に設定する方法などがある。【００５６】
図３に戻り、センサ部４４には、本実施形態にあっては煙を検出する検煙部１６が設けられている。センサ部４４には検煙部１６以外に、火災による温度を検出するサーミスタを設けてもよい。またガス漏れ監視用の警報器の場合には、センサ部４４にガス漏れセンサが設けられる。【００５７】
報知部４６にはスピーカ６８とＬＥＤ２２が設けられている。スピーカ６８は、図示しない音声合成回路部からのメッセージや警報音を出力する。ＬＥＤ２２は点滅や明滅、点灯などにより、火災などの異常や障害などを表示する。【００５８】
操作部４８には警報停止スイッチ２０が設けられている。監視中に警報停止スイッチ２０を操作すると、点検スイッチとして機能し、警報器１０−１が正常であれば、火災発報時より低い音量で「ウーウー  警報器が作動しました  確認してください」とするメッセージを１回出力する。また火災などの警報出力中に警報停止スイッチ２０を操作すると、警報器１０−１から流している警報音を停止することができる。【００５９】
電池電源５０は、例えば所定セル数のアルカリ乾電池を使用しており、電池容量としては警報器１０−１における無線回路部３０を含む回路部全体の低消費電力化により、約１０年の電池寿命を保証している。【００６０】
ＣＰＵ３８にはプログラムの実行により実現される機能として、異常監視部７０、連動メッセージ管理部７２、及び連動メッセージ処理部７４が設けられている。【００６１】
異常監視部７０は、センサ部４４に設けた検煙部１６で火災（煙）を検出したときに、報知部４６のスピーカ６８から連動元を示す警報音、例えば「ウーウー  警報器が作動しました  確認してください」を繰り返し出力させると共に、火災発報を示すイベント信号を無線回路部４０の送信回路５２によりアンテナ４１から他の警報器１０−２〜１０−５に向けて送信させる。【００６２】
ここで、イベント信号５８は図５に示すフォーマットとなっている。図５において、イベント信号５８は送信元符号６０、グループ符号６２及びイベント符号６４で構成されている。送信元符号６０は例えば３２ビットの符号である。またグループ符号６２は例えば８ビットの符号であり、同一グループを構成する例えば図３の警報器１０−１〜１０−５及び通信アダプタ３６−１〜３６−５は、同じグループ符号が設定されている。【００６３】
なお、グループ符号６２としては、同一グループの警報器に同一のグループ符号を設定する以外に、予め定めたグループを構成する警報器に共通な基準符号と、各警報器に固有な送信元符号６０との演算から求めた警報器ごとに異なるグループ符号であってもよい。【００６４】
イベント符号６４は、図４のメモリテーブル６６と同じものであり、火災、ガス漏れなどの異常や障害といったイベント内容を表す符号であり、本実施形態にあっては８ビット符号を使用している。【００６５】
図３に戻り、連動メッセージ管理部７２は、図４に示したメモリテーブル６６に、連動警報のグループを構成する警報器及び他の機器に対応して、イベント符号６４毎に、イベント内容、フラグ及びメッセージを登録して管理する。【００６６】
連動メッセージ処理部７４は、受信したイベント信号５８に含まれるイベント符号６４によりメモリテーブル６６から対応するメッセージ情報を取得して音響出力する。このときメモリテーブル６６のフラグがセット「１」であれば、メッセージを連動出力する。一方、フラグがリセット「０」であれば、メッセージの連動出力は行わない。【００６７】
ここで、異常監視部７０で火災発報を検出して連動元警報を出力する場合、報知部４６のＬＥＤ２２を例えば明滅させ、一方、連動先警報を出力する場合、報知部４６のＬＥＤ２２を点滅させる。これによって、連動元警報と連動先警報におけるＬＥＤ２２の表示を区別できるようにしている。もちろん、連動元警報と連動先警報のいずれについても、同じＬＥＤ２２の明滅または点滅表示であっても良い。【００６８】
また、異常監視部７０は、電池電源５０の電圧低下によるローバッテリーを障害として検出した場合、例えば１分に１回、「ピッ」といった短いローバッテリー警報音を出すことにより障害警報を出力させる。この場合、障害を示すイベント信号５８を他の警報器１０−２〜１０−５に送信し、ローバッテリー障害についても連動警報を可能とする。【００６９】
警報器以外の他の機器からのイベント信号５８を受信してメッセージを出力する際にも、必要に応じてＬＥＤ２２の明滅又は点滅を行うようにしても良い。【００７０】
このような警報器１０−１の回路構成及び機能は、他の警報器１０−２〜１０−５についても同様であり、メモリ５６に格納している送信元符号６０が各警報器固有の符号となっている。【００７１】
図６は警報器以外の他の機器に設ける通信アダプタを示したブロック図であり、インターホン親機に設けた通信アダプタを例にしている。【００７２】
図６において、インターホン親機２６に設けられた通信アダプタ３６−１は、通信制御部７５、メモリ７６、無線回路部７８、アンテナ７９及び電池電源８０を備えている。メモリ７６には、通信アダプタ３６−１を特定するＩＤ（識別子）となる送信元符号６０、図１のように複数の警報器１０−１〜１０−５および通信アダプタ３６−１〜３６−５で連動警報を行うグループを構成するためのグループ符号６２、及びインターホン親機２６に固有なイベント符号６４が格納されている。この場合、インターホン親機２６に固有なイベント符号６４は、図４のメモリテーブル６６に示した「０ｘ４」である。【００７３】
通信制御部７５は、インターホン機器２６のイベントである呼出し動作を検出してインターホン親機２６に固有なイベント信号５８を生成する。通信制御部７５で生成するイベント信号５８は図５と同じフォーマットであり、送信元符号６０、グループ符号６２及びイベント符号６４で構成されている。無線回路部７８は通信制御部７５で生成されたイベント信号５８を警報器１０−１〜１０−５に対し無線により送信する。【００７４】
無線回路部７８は、図３の無線回路部４０と同様の構成を備える。電池電源８０は、電池を内蔵せずに、インターホン親機２６から電源供給を受けるようにしても良い。【００７５】
図７は本実施形態による基本処理を示したフローチャートである。図７において、警報器１０に内蔵している電池電源５０を有効として電源を投入すると、ステップＳ１で初期化処理が実行される。この初期化処理には図３のように警報器１０−１〜１０−５及び他の機器に設ける通信アダプタ３６−１〜３６−５により連動警報のグループを構成するためのグループ設定処理が含まれ、例えばグループを構成する警報器１０−１〜１０−５のメモリ５６及び通信アダプタ３６−１〜３６−４のメモリ７６に、同じグループ符号６２を設定する。このグループ設定は、工場段階で行っても良いし、使用者側で行ってもよい。【００７６】
続いて、ステップＳ２で火災監視処理を実行し、また、ステップＳ３で連動メッセージ処理を実行し、これを繰り返す。【００７７】
図８は図７のステップＳ２における火災監視処理のサブルーチンを示したフローチャートである。図８において、まずステップＳ４でセンサ部４４に設けた検煙部１６による火災発報の有無を判別しており、火災発報を判別するとステップＳ５に進み、火災発報を示すイベント信号５８を他の警報器に送信する。続いて、ステップＳ６で連動元の火災警報として「ウーウー  警報器が作動しました  確認してください」を繰り返し出力させる。同時にＬＥＤ２２を明滅させる。【００７８】
火災警報の出力中にステップＳ７で警報停止スイッチ２０の操作を判別すると、ステップＳ８に進んで警報を停止する。この警報停止は、検煙部１６に煙が残っている場合は、所定時間後、例えば１４分後に再び警報出力を行う。【００７９】
一方、ステップＳ４で火災発報の判別がない場合はステップＳ９に進み、他の警報器から火災発報を示すイベント信号５８を受信したか否かを判別し、イベント信号５８を受信した場合はステップＳ１０に進み、ステップＳ１０で連動先の火災警報として例えば「ウーウー  別の警報器が作動しました  確認してください」を繰り返し出力させる。この場合にも、ステップＳ７で警報停止操作を判別するとステップＳ８で連動先警報を停止させる。【００８０】
また、ステップＳ１１で例えばローバッテリー障害が検出された場合、ステップＳ１２に進み、ローバッテリー障害を示すイベント信号５８を他の警報器に送信する。続いて、ステップＳ１３で障害警報として例えば１分間に１回、「ピッ」といった短い警報音を出力する。【００８１】
障害警報の出力中にステップＳ１４で警報停止スイッチ２０の操作を判別すると、ステップＳ１５に進み、「ローバッテリーが検出されました  電池を交換してください」といった音声メッセージを出力して障害警報を停止する。【００８２】
なお、ステップＳ１５の障害の音声メッセージとしては、他の警報器から障害のイベント信号５８を受信した場合には、「別の警報器でローバッテリーが検出されました  確認してください」というようにメッセージ内容を変えても良い。【００８３】
図９は図７のステップＳ３における連動メッセージ処理のサブルーチンを示したフローチャートである。図９において、まずステップＳ１７でイベント符号「０ｘ４」を含むインターホン親機２６のイベント信号５８であることを判別するとステップＳ１８に進み、図４に示したメモリテーブル６６のフラグがセットされて「１」となっていれば、ステップＳ１９に進んで来客報知メッセージとして「ピンポーン  来客です」を出力する。【００８４】
また、ステップＳ２０でイベント符号「０ｘ５」を含む在宅モードでの防犯受信機３０のイベント信号５８であることを判別するとステップＳ２１に進み、図４に示したメモリテーブル６６のフラグがセットされて「１」となっていれば、ステップＳ２２に進んで来客報知メッセージとして「ピンポーン  来客です」を出力する。【００８５】
なお、防犯受信機３０からのイベント信号５８による来客報知は、玄関に設置している人感センサ２８により自動的に来客を検知して行うことから、通常、インターホン親機２６のイベント信号５８による来客報知より前に行われ、このためインターホン親機２６と防犯受信機３０の各イベント信号による来客報知を重複して行うようにしても良い。勿論、フラグを一方につきセット、他方をリセットとし、いずれか一方の来客報知を選択しても良い。【００８６】
また、ステップＳ２３でイベント符号「０ｘ６」を含む電話機３２のイベント信号５８であることを判別すると、ステップＳ２４に進み、図４に示したメモリテーブル６６のフラグがセットされて「１」となっていれば、ステップＳ２５に進んで電話着信メッセージとして「ルルルー  電話です」を出力する。【００８７】
また、ステップＳ２６でイベント符号「０ｘ７」を含む緊急地震速報受信装置３４のイベント信号５８であることを判別すると、ステップＳ２７に進み、図４に示したメモリテーブル６６のフラグがセットされて「１」になっていれば、ステップＳ２８に進んで緊急地震速報の告知メッセージとして「ピッピッピッ  緊急地震速報が出されました  確認してください」を出力する。この場合には、緊急地震速報受信装置３４の設置場所に行き、受信表示されている到来予測震度と到来予測時間から、直後に到来する地震に備えることになる。【００８８】
更に、ステップＳ２９でイベント符号「０ｘ８」を含む目覚まし時計３５のイベント信号５８であることを判別すると、ステップＳ３０に進み、図４に示したメモリテーブル６６のフラグがセットされて「１」になっていれば、ステップＳ３１に進んで起床を促すメッセージとして「ジリジリジリ  時間になりました  起きてください」を出力する。【００８９】
なお、上記の実施形態は火災検出を対象とした警報器１０を例に取るものであったが、これ以外にガス漏れ警報器や防犯用警報器など、それ以外の適宜の異常を検出する警報器につき、本実施形態の処理をそのまま適用することができる。【００９０】
また、連動メッセージを出力する警報器以外の機器としては、上記の実施形態に限定されず、住宅で使用されるイベント発生でメッセージによる報知を必要とする適宜の機器、例えばテレビ、電子レンジ、洗濯機、冷蔵庫などの家電製品につき、同様に通信アダプタを設けることで、イベント発生時に固有のイベント信号５８を送信させ、警報器１０からメッセージを連動出力させても良い。【００９１】
また、上記の実施形態は警報器１０にセンサ部と警報出力処理部を一体に設けた場合を例にとるが、他の実施形態として、センサ部と警報出力処理部を別体とした警報器であっても良い。【００９２】
また本発明は上記の実施形態に限定されず、その目的と利点を損なうことのない適宜の変形を含み、更に上記の実施形態に示した数値による限定は受けない。
【産業上の利用可能性】
【００９３】
本発明に係る警報器及び警報器システムは、火災などの異常を検出して警報すると共に、他の警報器に信号を無線送信して警報を連動出力させる警報器及び警報器システムに有用である。
【図１】
2009118951.tif 000003
【図２Ａ】
2009118951.tif 000004
【図２Ｂ】
2009118951.tif 000005
【図３】
2009118951.tif 000006
【図４】
2009118951.tif 000007
【図５】
2009118951.tif 000008
【図６】
2009118951.tif 000009
【図７】
2009118951.tif 000010
【図８】
2009118951.tif 000011
【図９】
2009118951.tif 000012
【国際調査報告】
2009118951.tif 000013
2009118951.tif 000014
2009118951.tif 000015